(57)【要約】【課題】簡単な構造であって乾燥効率の優れた生ごみ乾燥器１０を提供する。【解決手段】底面と平行な網状板２８が内部に設置され、網状板２８より低い位置に流入口３０と吐出口３２が設置されたごみ収納容器１４と、ごみ収納容器１４を着脱可能に収容するハウジング１６と、ハウジング１６の上部一側に配置され、前記ハウジングに連通してハウジング内の空気を循環させる送風機１８と、送風機１８に連通して前記ハウジング１６の上部の他側に設置され、ハウジング１６内の空気を、排気口２７と連通する排出通路２２と、電熱ヒーター２６が配置された通孔２５を介してごみ収納容器１４の上部と連通する第１循環通路２４ａと、ごみ収納容器１４の流入口３０と連通する第２循環通路２４ｂと、に分割して送風するダクト２０と、を含むことを特徴とする生ごみ乾燥器１０。【選択図】図１
2008055421.tif 000002
【特許請求の範囲】
【請求項１】
底面と平行な網状板２８が内部に設置され、前記網状板２８より低い位置に流入口３０と吐出口３２が設置されたごみ収納容器１４と、
前記ごみ収納容器１４を着脱可能に収容するハウジング１６と、
前記ハウジング１６の上部一側に配置され、前記ハウジング１６に連通してハウジング１６内の空気を循環させる送風機１８と、
前記送風機１８に連通して前記ハウジング１６の上部の他側に設置され、前記ハウジング１６内の空気を、排気口２７と連通する排出通路２２と、電熱ヒーター２６が配置された通孔２５を介して前記ごみ収納容器１４の上部と連通する第１循環通路２４ａと、前記ごみ収納容器１４の流入口３０と連通する第２循環通路２４ｂと、に分割して送風するダクト２０と、
を含むことを特徴とする生ごみ乾燥器。
【請求項２】
前記ごみ収納容器１４の吐出口３２は外部排出管に連結されることを特徴とする請求項１に記載の生ごみ乾燥器。
【請求項３】
前記ダクト２０の第２循環通路２４ｂと前記流入口３０とは連結管２３によって連結されることを特徴とする請求項１又は２に記載の生ごみ乾燥器。
【請求項４】
前記ごみ収納容器１４の吐出口３２は多孔性部材によって形成されることを特徴とする、請求項１又は２に記載の生ごみ乾燥器。
【発明の詳細な説明】
【技術分野】
【０００１】
本発明は生ごみ乾燥器に係り、特に家庭用に好適に使用可能な構造の生ごみ乾燥器に関するものである。
【背景技術】
【０００２】
一般に、家庭で使用される生ごみ乾燥器は、多量の水分を含む生ごみを乾燥させて軽量化し、使用者がごみを容易にに廃棄することができるようにするという機能を有する。
特許文献１には、ヒーターによって加熱された空気が送風ファンによって強制的に収納容器の上側空間を循環してから排出される構造の生ごみ乾燥器が報告されている（例えば特許文献１参照）。
この生ごみ乾燥器は比較的単純な構造なので、製造するのは経済的に有利である。しかし、高温の空気がごみ収納容器の上側のみを循環して排出されるので、ごみの上層部は乾燥されるが中層部や下層部は乾燥が悪くなるという、ごみの乾燥効率の面での問題があった。
【０００３】
他の例において、本体下部に多数の電熱線又はヒーターを配置した構造のごみ収納容器が開示されている。このごみ収納容器の場合、生ごみの上側部と下側部とを加熱することによって、乾燥効率の向上を期待することができるが、複雑な構造による製作費用の増大と、大量の電力を消費するという経済的な問題点を有すると共に、頻繁な故障を引き起こすという問題もあった。
【０００４】
【特許文献１】大韓民国実用新案登録第３９７１４３号明細書
【発明の開示】
【発明が解決しようとする課題】
【０００５】
本発明は前記従来技術による生ごみ乾燥器の問題点を解決するためになされたものであって、具体的には、前記特許文献１に開示された生ごみ乾燥器を改良したものである。
本発明の目的は、簡単な構造であって乾燥効率の優れた生ごみ乾燥器を提供することである。
【課題を解決するための手段】
【０００６】
本発明の目的は、送風機１８によって循環される加熱空気がごみ収納容器１４の上部及び下部を同時に循環するようにすることによって達成される。
本発明による生ごみ乾燥器１０は、底面と平行な網状板２８が内部に設置され、網状板２８より低い位置に流入口３０と吐出口３２が設置されたごみ収納容器１４と、ごみ収納容器１４を着脱可能に収容するハウジング１６と、ハウジング１６の上部一側に配置され、前記ハウジング１６に連通してハウジング１６内の空気を循環させる送風機１８と、送風機１８に連通して前記ハウジング１６の上部の他側に設置され、ハウジング１６内の空気を、排気口２７と連通する排出通路２２と、電熱ヒーター２６が配置された通孔２５を介してごみ収納容器１４の上部と連通する第１循環通路２４ａと、ごみ収納容器１４の流入口３０と連通する第２循環通路２４ｂと、に分割して送風するダクト２０と、を含むことを特徴とする。
【発明の効果】
【０００７】
本発明の生ごみ乾燥器は、送風機によって循環される高温の空気が生ごみの上側部と下側部を通過することにより、生ごみの上側部と下側部を同時に加熱するので、生ごみの乾燥効率が向上すると共に、下側部の加熱のための他の付加的な手段を必要としないので比較的簡単な構造にすることができる。
【発明を実施するための最良の形態】
【０００８】
本発明の特徴、作用及び効果を添付図面を参照して以下に詳細に説明する。
図１は本発明の実施例による生ごみ乾燥器１０の構成を示す分解斜視図であり、図２は図１の本体１２の詳細斜視図であり、図３は図１のダクト２０内部の詳細斜視図である。
【実施例】
【０００９】
図１によれば、本発明の生ごみ乾燥器１０は、左右の側板１、２と、背板３と、各種スイッチが配置される上板４と、本体１２と、ごみ収納容器１４と、を含む。
前記ごみ収納容器１４は、内部に底面と平行な網状板２８が設置され、前記網状板２８より下部の側面に流入口３０と吐出口３２が設置される。
【００１０】
図２によれば、前記本体１２は、前記ごみ収納容器１４を着脱可能に収容するハウジング１６と、前記ハウジング１６の上部一側に連通して配置される送風機１８と、前記送風機１８に連通して空気を循環、排出させるためのダクト２０と、からなる。
前記ハウジング１６は、前方に出入開放口が形成され、この開放口を通じてごみ収納容器１４がハウジング１６内に着脱される。符号１７はごみ収納容器１４の円滑な出入りのためのガイドレールである。
【００１１】
前記送風機１８はハウジング１６の上部に配置され、通気孔（図示せず）を通じてハウジング１６に連通されている。
【００１２】
前記ダクト２０はハウジング１６の上部に配置され、送風機１８と連通している。
更に詳細には、第３図によれば、前記ダクト２０は、一つの排出通路２２と二つの循環通路２４ａ、２４ｂを有する。そして、排出通路２２は排気口２７と連通し、第１循環通路２４ａは、電熱ヒーター２６が設置された通孔２５を通じてごみ収納容器１４の上側空間に延長され、第２循環通路２４ｂは連結管２３を介してごみ収納容器１４の流入口３０に連結される。
【００１３】
本実施例において、吐出口３２を通過した高温の空気は送風機１８によって循環するようにしたものであるが、他の実施例においては、排出管（図示せず）を連結して外部に排出するようにすることもできる。
【００１４】
前記ごみ収納容器１４に適量の生ごみを収容し、ハウジング１６の内部に装着すれば、生ごみ乾燥器１０の動作を開始することができる。
生ごみが含む水分中の相当量は網状板２８を通過してごみ収納容器１４の底面に落ちて溜る。すなわち、網状板２８は生ごみ中の残物と汚水を分離する機能を有する。
【００１５】
この状態で、生ごみ乾燥器１０の電源を入れれば、ハウジング１６の内部空気は送風機１８によって強制的に循環される。空気はダクト２０を通過しながら３分割され、一部は排出通路２２を、他の一部は循環通路２４ａ、２４ｂを通る。
【００１６】
前記排出通路２２を通る空気は排気口２７から外部へ排気される。
前記第１循環通路２４ａを通る空気は通孔２５に設置された電熱ヒーター２６を通過して加熱され、ごみ収納容器１４の上側空間に供給され、ごみ収納容器１４内の生ごみを上側部から加熱乾燥させた後、送風機１８によって再びダクト２０に戻る。
【００１７】
前記第２循環通路２４ｂを通過した空気は、連結管２３及び流入口３０を介してごみ収納容器１４の網状板２８の下部に供給される。ごみ収納容器１４の網状板２８の下部に供給された空気は、ごみ収納容器１４内の網状板２８下側部から生ごみを加熱乾燥させると同時に、ごみ収納容器１４の底面に溜った汚水を加熱乾燥させた後、吐出口３２を介して前記ハウジング内に放出され、送風機１８によって再びダクト２０に戻る。
【００１８】
他の実施例に於いて、前記吐出口３２を多孔性部材によって形成することで、前記吐出口３２からの空気の放出量を減少させて、加熱空気が前記ごみ収納容器１４に長く溜るようにすることができる。
【００１９】
本発明による生ごみ乾燥器１０において、ごみ収納容器１４に投入された生ごみは、網状板２８によって、生ごみ中の残物と汚水に分離される。そして、生ごみの上側部と下側部が同時に加熱乾燥されると同時に汚水も加熱乾燥される。したがって、従来技術による生ごみ乾燥器に比べ、本発明の生ごみ乾燥器１０は高い乾燥効率を得ることができる。
【産業上の利用可能性】
【００２０】
本発明は、家庭用に好適に使用可能な構造の生ごみ乾燥器に適用可能である。
【図面の簡単な説明】
【００２１】
【図１】本発明による生ごみ乾燥器１０の構成を示す分解斜視図である。
【図２】図１の本体１２の詳細斜視図である。
【図３】図１のダクト２０内部の詳細斜視図である。
【符号の説明】
【００２２】
１０    生ごみ乾燥機
１２    本体
１４    ごみ収納容器
１６    ハウジング
１８    送風機
２０    ダクト
２２    排出通路
２３    連結管
２４ａ、２４ｂ    循環通路
２５    通孔
２６    電熱ヒーター
２７    排気口
２８    網状板
３０    流入口
３２    吐出口
【図１】
2008055421.tif 000003
【図２】
2008055421.tif 000004
【図３】
2008055421.tif 000005